(57)【特許請求の範囲】
【請求項１】
計算機式断層写真法（ＣＴ）イメージング・システムでの画像データ取得の方法であって、
撮像容積の周りで前記ＣＴイメージング・システムのＸ線源を少なくとも１回全回転させるステップと、
前記全回転のうち半走査に対応する第一の部分が、前記全回転のうちの前記第一の部分を除く残りの第二の部分及び第三の部分よりも低い線量となるように、入状態と切状態との間で前記Ｘ線源を交番させるようにＸ線源電圧を制御して前記全回転の間に前記Ｘ線源の動作電流を変調するステップと、
前記撮像容積の周りでの前記Ｘ線源の前記回転中に全走査に対応する画像データを取得するステップであって、半走査ビュー範囲の外部のビュー範囲である前記第二の部分及び前記第三の部分については、散在型ビュー又は不完全ビューを取得するステップと、
を備えている、方法。
【請求項２】
撮像容積の周りを回転するように構成されているＸ線源と、
該Ｘ線源により放出されたＸ線を検出するように構成されている検出器と、
前記Ｘ線源及び前記検出器の一方又は両方の動作を制御するように構成されているシステム制御器と
を備えた計算機式断層写真法（ＣＴ）イメージング・システムであって、前記システム制御器は、前記撮像容積の周りで少なくとも１回の全回転にわたり前記Ｘ線源を回転させて、前記撮像容積の周りでのＸ線源の前記回転中に全走査に対応する画像データを取得し、
また、前記システム制御器は、前記全回転のうち半走査に対応する第一の部分が、前記全回転のうちの前記第一の部分を除く残りの第二の部分及び第三の部分よりも低い線量となるように、入状態と切状態との間で前記Ｘ線源を交番させるようにＸ線源電圧を制御して前記全回転の間に前記Ｘ線源の動作電流を変調し、また前記システム制御器は、前記全走査に対応する前記画像データを取得する時に、半走査ビュー範囲の外部のビュー範囲である前記第二の部分及び第三の部分について散在型ビュー又は不完全ビューを取得する、
計算機式断層写真法（ＣＴ）イメージング・システム。
【発明の詳細な説明】
【背景技術】
【０００１】
非侵襲型の撮像技術は、患者又は物体に対して侵襲的処置を施すことなく患者又は物体の内部構造の画像を得ることを可能にする。具体的には、計算機式断層写真法（ＣＴ）のような技術が、標的容積を通過するＸ線の差分透過のような様々な物理的原理を用いて、画像データを取得して断層写真法画像（例えば人体又は他の被撮像構造の内部の三次元表現）を構築する。
【発明の概要】
【発明が解決しようとする課題】
【０００２】
しかしながら、患者のＸ線曝射に基づく撮像手法は、可能な限り多くの有用な画像データを取得するという要求と、患者のＸ線被曝を実行可能な範囲まで最小化する又は減少させるという要求との間で比較考量を要する場合がある。すなわち、患者が被曝するＸ線量は、取得される画像データの形式及び／又は量を制約し得る。結果として、幾つかの状況において又は幾つかの病状（心臓応用若しくは血管撮影法応用等）について有用であると看做され得る撮像プロトコルが、投与線量の理由で望ましくない場合がある。
【課題を解決するための手段】
【０００３】
一実施形態では、計算機式断層写真法（ＣＴ）イメージング・システムでの画像データ取得の方法が提供される。この方法によれば、撮像容積の周りで前記ＣＴイメージング・システムのＸ線源を少なくとも１回全回転させるステップと、前記全回転のうち半走査に対応する第一の部分が、前記全回転のうちの前記第一の部分を除く残りの第二の部分及び第三の部分よりも低い線量となるように、前記全回転の間に前記Ｘ線源の動作電流を変調するステップと、前記撮像容積の周りでの前記Ｘ線源の前記回転中に全走査に対応する画像データを取得するステップと、を備えており、前記全走査に対応する前記画像データを取得するステップは、半走査ビュー範囲の外部のビュー範囲である前記第二の部分及び第三の部分について散在型ビュー又は不完全ビューを取得するステップを含んでおり、前記散在型ビュー又は不完全ビューを取得するステップは、入状態と切状態との間で前記Ｘ線源を交番させるようにＸ線源電圧を制御することを含んでいる。
【０００４】
さらにもう一つの実施形態では、計算機式断層写真法（ＣＴ）イメージング・システムでの画像データ取得の方法が提供される。この方法によれば、撮像容積の周りで前記ＣＴイメージング・システムのＸ線源を少なくとも１回全回転させるステップと、前記全回転のうち半走査に対応する第一の部分が、前記全回転のうちの前記第一の部分を除く残りの第二の部分及び第三の部分よりも低い線量となるように、前記全回転の間に前記Ｘ線源の動作電流を変調するステップと、前記撮像容積の周りでの前記Ｘ線源の前記回転中に全走査に対応する画像データを取得するステップと、を備えており、前記画像データを取得するステップは、前記第一の部分では前記Ｘ線源がコリメートされず、前記第一の部分の外部の前記第二の部分及び前記第三の部分では前記Ｘ線源が中央部の内部にコリメートされるように、前記Ｘ線源をコリメートすることを含んでいる。
【０００５】
もう一つの実施形態では、ＣＴイメージング・システムが提供される。このＣＴイメージング・システムは、撮像容積の周りを回転するように構成されているＸ線源と、Ｘ線源により放出されたＸ線を検出するように構成されている検出器と、前記Ｘ線源及び前記検出器の一方又は両方の動作を制御するように構成されているシステム制御器とを備えている。前記システム制御器は、前記撮像容積の周りで少なくとも１回の全回転にわたり前記Ｘ線源を回転させて、前記撮像容積の周りでのＸ線源の前記回転中に全走査に対応する画像データを取得し、また、前記システム制御器は、前記全回転のうち半走査に対応する第一の部分が、前記全回転のうちの前記第一の部分を除く残りの第二の部分及び第三の部分よりも低い線量となるように、前記全回転の間に前記Ｘ線源の動作電流を変調し、また前記システム制御器は、前記全走査に対応する前記画像データを取得する時に、半走査ビュー範囲の外部のビュー範囲である前記第二の部分及び第三の部分について散在型ビュー又は不完全ビューを取得し、さらに前記システム制御器は、前記散在型ビュー又は不完全ビューを取得する時に、入状態と切状態との間で前記Ｘ線源を交番させるようにＸ線源電圧を制御することを含んでいる。
【０００６】
もう一つの実施形態では、ＣＴイメージング・システムが提供される。このＣＴイメージング・システムは、撮像容積の周りを回転するように構成されているＸ線源と、Ｘ線源により放出されたＸ線を検出するように構成されている検出器と、前記Ｘ線源及び前記検出器の一方又は両方の動作を制御するように構成されているシステム制御器と、コリメータとを備えている。前記システム制御器は、前記撮像容積の周りで少なくとも１回の全回転にわたり前記Ｘ線源を回転させて、前記撮像容積の周りでのＸ線源の前記回転中に全走査に対応する画像データを取得し、また、前記システム制御器は、前記全回転のうち半走査に対応する第一の部分が、前記全回転のうちの前記第一の部分を除く残りの第二の部分及び第三の部分よりも低い線量となるように、前記全回転の間に前記Ｘ線源の動作電流を変調し、前記コリメータは、前記第一の部分では前記Ｘ線源がコリメートされず、前記第一の部分の外部の第二の部分及び前記第三の部分では前記Ｘ線源が中央部の内部にコリメートされるように、前記Ｘ線源をコリメートする。
【図面の簡単な説明】
【０００７】
本発明の実施形態のこれらの特徴及び観点、並びに他の特徴及び観点は、添付図面を参照して以下の詳細な説明を読むとさらに十分に理解されよう。図面全体にわたり、類似の参照符号は類似の部材を表わす。
【図１】本開示の各観点による画像を形成するのに用いられるＣＴイメージング・システムの線図である。
【図２】一定のＸ線管電流（ｍＡ）において実行される全走査についての積算管電流を示す図である。
【図３】一定のＸ線管電流において実行される半走査についての積算管電流を示す図である。
【図４】本開示の各観点によるＸ線管電流が半走査領域に関して対称に変調される全走査の一具現化形態についての積算管電流を示す図である。
【図５】本開示の各観点によるＸ線管電流が半走査領域に関して非対称に変調される全走査の一具現化形態についての積算管電流を示す図である。
【図６】本開示の各観点によるＸ線管電流が半走査領域に関して非対称に変調される全走査のさらにもう一つの具現化形態についての積算管電流を示す図である。
【図７】本開示の各観点による管電圧を高から低へ高速に変化させることによる散在型ビューが半走査領域の外部で取得されるような全走査の一具現化形態についての積算管電流を示す図である。
【図８】本開示の各観点によるそれぞれのデータ取得が異なるＸ線管電流において生ずるような２回転走査の一具現化形態について積算管電流を示す図である。
【発明を実施するための形態】
【０００８】
ワイド・コーン（wide-cone）・アキシャル心ＣＴ再構成のような幾つかの撮像プロトコルでは、従来の半走査（すなわち１８０°部分回転＋Ｘ線ビームのコーン角又はファン角）と同じ時間分解能を保ちつつコーン・ビーム・アーティファクトを最小化するように、全走査（すなわち３６０°回転分の画像データ＋幾分かの可能な重なり）の画像データが取得され得る。他の走査プロトコルも、アーティファクトを減少させる又は他の場合にはさらに完全なデータ集合を提供する等のために、３６０°分のビューの取得から利益を享受し得る。かかる全走査具現化形態は３６０°分のビューを取得するため、従来の半走査に比較してＸ線量は約５０％増大する。
【０００９】
本書に開示される各実施形態は、全走査型ワイド・コーン・データ取得のような所望の形式及び／又は量のＸ線画像データを得つつ患者Ｘ線量を減少させる様々なアプローチに関する。幾つかのかかる実施形態では、画像データ取得中にｍＡ変調を用いることにより、線量を減少させて全走査のデータを得ることができる。他のアプローチでは、散在型（sparse）ビュー取得を用いて、全走査のコーン・ビーム・データのような画像データを取得しつつ所与の線量未満に留めることができる。同様に、２回転プロトコル及び／又はｚ−コリメーションをかかるシナリオに用いることができる。これらのようなアプローチでは、全走査の画像データ（心ＣＴ画像データ等）を適当なＸ線量レベルにおいて取得することができる。
【００１０】
このことを念頭に置いて、本発明のアプローチに従って患者（又は他の着目被検体若しくは着目物体）の周りの多様なビューにおいてＸ線減弱データを取得するのに適しており断層写真法再構成に適した計算機式断層写真法（ＣＴ）イメージング・システム１０の一例を図１に掲げる。図１に示す実施形態では、イメージング・システム１０は、コリメータ１４に隣接して配置されているＸ線放射線源１２を含んでいる。Ｘ線源１２は、Ｘ線管、分散型Ｘ線源（固体Ｘ線源若しくは熱イオンＸ線源等）、又は医用画像若しくは他の画像の取得に適した他の任意のＸ線放射線源であってよい。
【００１１】
コリメータ１４は、患者１８が配置されている領域にＸ線１６を通過させる。図示の例では、Ｘ線１６は円錐形のビームすなわちコーン・ビームになるようにコリメートされて、このビームが被撮像容積を通過する。Ｘ線放射線の一部２０が患者１８（若しくは他の着目被検体）を又は周囲を通過して、参照番号２２に全体的に表わされている検出器アレイに入射する。アレイの検出器素子は、入射Ｘ線２０の強度を表わす電気信号を発生する。これらの信号を取得し処理して、患者１８の体内の特徴の画像を再構成する。
【００１２】
線源１２はシステム制御器２４によって制御され、制御器２４はＣＴ検査系列のための電力及び制御信号の両方を供給する。図示の実施形態では、システム制御器２４は、当該システム制御器２４の一構成要素であり得るＸ線制御器２６を介して線源１２を制御する。かかる実施形態では、Ｘ線制御器２６は、電力及びタイミング信号をＸ線源１２に供給するように構成され得る。
【００１３】
また、検出器２２もシステム制御器２４に結合され、制御器２４は検出器２２において発生される信号の取得を制御する。図示の実施形態では、システム制御器２４は、検出器によって発生される信号をデータ取得システム２８を用いて取得する。データ取得システム２８は、検出器２２の読み出し電子回路によって収集されるデータを受け取る。データ取得システム２８は標本採集されたアナログ信号を検出器２２から受け取り、このデータをディジタル信号へ変換して、以下で議論されるプロセッサ３０による後の処理に供することができる。代替的に他の実施形態では、検出器２２自体に設けられている回路によってディジタルからアナログへの変換を行なうことができる。システム制御器２４はまた、ダイナミック・レンジの初期調節及びディジタル画像データのインタリーブ処理等のような取得画像信号に関する様々な信号処理作用及びフィルタ処理作用を実行することができる。
【００１４】
図１に示す実施形態では、システム制御器２４は回転サブシステム３２及び線形配置サブシステム３４に結合されている。回転サブシステム３２は、Ｘ線源１２、コリメータ１４及び検出器２２が、患者を中心としたｘｙ平面において主に回転する等のように患者１８の周りで１回又は多数回にわたり回転することを可能にする。尚、回転サブシステム３２は、それぞれのＸ線放出構成要素及びＸ線検出構成要素が配設されているガントリを含み得ることを特記しておく。このように、かかる実施形態では、システム制御器２４を用いてガントリを動作させることができる。
【００１５】
線形配置サブシステム３４は、患者１８又はさらに明確に述べると患者を支持したテーブルを、ガントリの回転に対してｚ方向等にＣＴシステム１０の中孔の内部で変位させることを可能にし得る。このように、テーブルをガントリの内部で線形移動させることができ（連続的態様又は段階的態様で）、患者１８の特定の区域の画像を形成することができる。図示の実施形態では、システム制御器２４は、モータ制御器３６を介して回転サブシステム３２及び／又は線形配置サブシステム３４の移動を制御する。
【００１６】
一般的には、システム制御器２４は、検査プロトコルを実行して取得データを処理するようにイメージング・システム１０の動作を命令する（上述の線源１２、検出器２２、及び配置システムの動作等を介して）。例えば、システム制御器２４は上述の各システム及び各制御器を介して、Ｘ線減弱データを被検体に対して多様なビューにおいて得ることができるように線源１２及び検出器２２を支持したガントリを着目被検体の周りに回転させることができる。ここでの状況では、システム制御器２４はまた、信号処理回路と、コンピュータによって実行されるプログラム及びルーチン（本書に記載される画像処理手法を実行するルーチン等）、並びに構成パラメータ及び画像データ等を記憶する付設されるメモリ回路とを含み得る。
【００１７】
図示の実施形態では、システム制御器２４によって取得されて処理される画像信号は、画像の再構成のために処理構成要素３０に供給される。処理構成要素３０は、１又は複数の従来のマイクロプロセッサであってよい。データ取得システム２８によって収集されるデータは、直接又はメモリ３８での記憶の後に処理構成要素３０に伝送され得る。データを記憶するのに適した任意の形式のメモリが、かかる例示的なシステム１０によって用いられ得る。例えば、メモリ３８は、１又は複数の光学式、磁気式、及び／又は固体メモリ記憶構造を含み得る。また、メモリ３８は、取得システムの現場に位置していてもよいし、後述するような画像再構成のためのデータ、処理パラメータ、及び／又はルーチンを記憶する遠隔記憶装置を含んでいてもよい。
【００１８】
処理構成要素３０は、典型的にはキーボード及び／又は他の入力装置を装備した操作者ワークステーション４０を介して操作者から命令及び走査パラメータを受け取るように構成され得る。操作者が、操作者ワークステーション４０を介してシステム１０を制御することができる。このように、操作者は、操作者ワークステーション４０を用いて再構成画像を観察し、且つ／又は他の場合にはシステム１０を動作させることができる。例えば、操作者ワークステーション４０に結合されている表示器４２を用いて再構成画像を観察したり撮像を制御したりすることができる。加えて、操作者ワークステーション４０に結合され得るプリンタ４４によって画像を印刷することもできる。
【００１９】
さらに、処理構成要素３０及び操作者ワークステーション４０を、標準型又は特殊目的のコンピュータ・モニタ及び付設の処理回路を含み得る他の出力装置に結合することができる。さらに、システム・パラメータの出力、検査依頼、及び画像観察等を行なうために１又は複数の操作者ワークステーション４０がシステムに結合されていてよい。一般的には、システムの内部に提供されている表示器、プリンタ、ワークステーション、及び類似の装置は、データ取得構成要素に対してローカルに位置していてもよいし、これらの構成要素から遠隔に位置していてもよく、インターネット及び仮想私設網等のような１又は複数の構成自在型網を介して画像取得システムに結合されて施設若しくは病院の内部の他の箇所、又は全く異なる位置等に位置していてよい。
【００２０】
さらに、操作者ワークステーション４０はまた、画像保管及び通信システム（ＰＡＣＳ）４６に結合され得ることを特記しておく。次いで、異なる位置にいる他者が処理前又は処理済みの画像データに接触し得るように、ＰＡＣＳ４６を遠隔クライアント４８、放射線科情報システム（ＲＩＳ）、病院情報システム（ＨＩＳ）、又は内外の網に結合してよい。
【００２１】
以上の議論ではイメージング・システム１０の様々な例示的な構成要素を別々に扱ったが、これら様々な構成要素が共通の一つのプラットフォームの内部又は相互接続された複数のプラットフォームに設けられていてもよい。例えば、処理構成要素３０、メモリ３８、及び操作者ワークステーション４０が、本開示の各観点に従って動作するように構成されている汎用又は特殊目的のコンピュータ又はワークステーションとしてまとめて設けられていてもよい。かかる実施形態では、汎用又は特殊目的コンピュータはシステム１０のデータ取得構成要素に関して別個の構成要素として設けられていてもよいし、かかる構成要素を備えた共通のプラットフォームに設けられていてもよい。同様に、システム制御器２４も、かかるコンピュータ又はワークステーションの一部として設けられていてもよいし、画像取得専用の別個のシステムの一部として設けられていてもよい。
【００２２】
前述のように、図示のＣＴイメージング・システム１０のようなイメージング・システムによる画像データの取得は、撮像過程中に患者の幾分かのＸ線被曝を伴う。この線量は特に、検査中に全走査（すなわち３６０°回転分の画像データ・ビュー＋幾分かの可能な重なり）が用いられているか、或いは半走査（すなわち１８０°部分回転＋Ｘ線ビームのコーン角又はファン角）が用いられているかに依存して変化する。例えば、図２へ移ると、撮像容積の周りでのＸ線源の全走査回転についてのＸ線管電流プロファイルが示されている。同様に、図３は、撮像容積の周りでのＸ線源の半走査回転についてのＸ線管電流プロファイルを示す。図２及び図３では、網掛けの面積が、それぞれ全走査及び半走査についての患者線量に対応する積算Ｘ線管電流（ｍＡｓ単位）６０、６２を表わす。５５°のファン角度の場合に、全走査に関連する積算管電流６０は、半走査に関連する積算管電流６２に関して５３％（横側領域６４）だけ増大している。幾つかの実施形態では、半走査データ取得に関連する時間分解能を保ちつつ（すなわち半走査の短縮した継続時間による）、また半走査に対して相対的な線量の不利益を保つ又は減少させつつ、全走査データ取得に関連する利益（例えばコーン・ビーム・アーティファクトが減少する）を保つことが目標である。
【００２３】
図２及び図３に関して、幾つかの取得アプローチでは、全走査の画像データを取得して、データが相対的に完全であるような画像容積の部分（すなわちＸ線ビームに常に曝射されている領域）でのボクセルを再構成するために半走査に対応するデータ６６に主に頼ることにより時間分解能を保存することを図る。残りの走査データ（すなわち横側領域６４に対応するデータ）は、データが相対的に完全である領域の外部で主に用いられるが、データが完全である領域の内部でも低周波数シェーディング・アーティファクト（例えばコーン・ビーム・アーティファクト）を解消するために用いられてよい。
【００２４】
従って、かかるアプローチでは、患者が受ける全体的な線量を減少させるがデータが相対的に完全である領域の内部では画質及び／又は時間分解能に著しい影響を与えないようにするために、横側領域６４の一方又は両方に関連するｍＡを低下させると有用であり得る。この理解に基づいて、多様な線量低減アプローチがここで思量される。
【００２５】
例えば、一具現化形態では、横側領域６４の一方又は両方の内部でｍＡ変調を用いることができる。一実施形態では、完全な又は部分的な台形型のｍＡ変調を用いる。例えば、図４へ移り、一具現化形態では、Ｘ線源（例えば管）に電力を与えることに関して対称な又は「完全な」台形ｍＡプロファイルが用いられ、この場合には、全ｍＡ半走査区間７０が二つの低ｍＡ区画７２に挟まれている。
【００２６】
図４は、二つの低ｍＡ区画７２が全ｍＡ半走査区間７０に対してそれぞれの増加及び減少しているｍＡを呈するような実施形態を示しているが、理想化されたシナリオでは、半走査領域６６の外部の横側領域６４の内部では最小ｍＡが保たれるとよい（すなわち一定になる）。しかしながら、図４に示すように、実際には（及び図示のように）、Ｘ線管電流を瞬時に上下させて変調させることは困難又は不可能である場合があり、下降勾配及び上昇勾配はＸ線管及び発生器の能力を反映させたものとなっている。実際に、幾つかのスキャナでは、ｍＡは約５，０００ｍＡ／秒以下で上昇させられ、約４，０００ｍＡ／秒以下で減少させられる場合がある。このように、上昇時間及び減少時間に依存して、Ｘ線管電流が一定となる区画は存在したりしなかったりする。ともかく、患者被曝線量は、全走査シナリオの積算Ｘ線管電流面積（図２の網掛けの面積６０）と、ｍＡ変調シナリオ（台形面積８０（図４の面積７０及び７２で構成される））との間の差に比例して減少する。すなわち、全走査分のデータが取得されるが、全ｍＡ（例えば図示の例では７００ｍＡ）において費やされる時間は、図２に示すような従来の全走査に対して減少している。
【００２７】
図４は対称構成の全ｍＡ区画及び低ｍＡ区画を示しているが、非対称構成を用いることもできる。例えば、図５に移ると、Ｘ線管電流が半走査時間（又は続く区画７２においてｍＡが所望の低ｍＡまで低下し得る速度を盛り込んだ少し短い継続時間）に対応する期間にわたり全ｍＡ（区画７０）で開始し、続いて残りの走査時間では下降している（低ｍＡ区画７２）具現化形態が示されている。反対に、図６では、Ｘ線管電流が低ｍＡ（区画７２）で開始し、続いて半走査時間（又はｍＡが全ｍＡまで増大し得る速度を盛り込んだ少し短い継続時間）に対応する期間にわたり全ｍＡ（区画７０）まで上昇している具現化形態が示されている。このように、これら二つの非対称の例では、上の対称の例と同様に、全走査分のデータが取得されるが、全ｍＡにおいて費やされる時間は従来の全走査に対して減少している。
【００２８】
上の例から認められるように、最大ｍＡ、最小ｍＡ、ｍＡ増減時間、及び最大ｍＡの継続時間は、ｍＡ変調プロトコルを構成するのに適したパラメータであって、標準的な全走査プロトコルに対してどれほどの線量を各々のプロトコルが節減するかを画定する。上の例では、全ｍＡ区画７０は、さらなる線量低減のため、また雑音の影響を最小にする等のため、半走査区間６６よりも狭く（継続時間が短く）なるように選択されていた。さらに、前述のように、低ｍＡ区画７２が走査時間中に平坦部に達するか否かは、相対的なｍＡ変調速度（すなわちｍＡ増加速度及び／又は減少速度）に依存する。さらに、図５及び図６に示すもののような非対称ｍＡ変調アプローチは、図４に示すもののような対称ｍＡ変調アプローチよりもさらに多くの線量を節減することができる。
【００２９】
ｍＡ変調は線量を低減する一つのアプローチであるが、他の適当なアプローチを用いることもできる。例えば、前述のように、Ｘ線管フィラメントの熱応答時間が有限である等のためｍＡを変調させ得る速度は限定され得る。一具現化形態では、ｍＡを変調させる（且つ有限のｍＡ変調速度によって課される制限を受け入れる）代わりに、全線量が発せられる状態（すなわち「入」）と線量が全く又は実質的に発せられない状態（すなわち「切」又は「実効的に切」）との間（１４０ｋＶと８０ｋＶとの間等）でＸ線管を切り替えるようにＸ線管電圧を制御することができる。認められるように、Ｘ線管又はＸ線源の「切」状態は、必ずしも０ｋＶｐに対応していなくてよく、代わりに管電圧が患者に対して最小の線量を発生する又は線量を全く発生しないのに十分に低くなっていることを示していればよい。
【００３０】
このことを念頭に置いて図７に移ると、一つの線量低減アプローチでは、全ｍＡにおいて半走査ビュー範囲６６を取得し、横側領域６４に対応する全走査の残部ではビューの散在型部分集合のみを取得する。すなわち、半走査区間６６の外部ではＸ線管電圧の制御によってＸ線源を入状態と切状態との間で交番させることができ、全ｍＡでは、間歇型又は交番型ビューが取得され、一方線量が殆ど又は全くない場合すなわちＸ線放出がない場合に対応するｍＡでは間隙ビュー又は時間調節が生ずるようにする。従って、横側領域６４の「入」ビューのみが再構成に用いられる。さらに、これら「入」ビューのみが患者線量に寄与し、従って全体的な患者線量が全走査（図２）に対して減少する。幾つかの具現化形態では、パルス型ビュー（すなわちＸ線管電圧の交番中に取得されるビュー）の実効スペクトルは、Ｘ線管電圧が交番していない場合のビューと異なっていてよい。かかる具現化形態では、パルス型ビューのスペクトル基準線を得るために専用の較正ステップを実行することができる。
【００３１】
有限のｍＡ変調速度を扱うもう一つのアプローチでは、図８に示すように、全ｍＡ区画７０及び低減ｍＡ区画７２を２回の回転に分配する。一つのかかる実施形態では、半走査区画７０（すなわち１８０°＋ファン角度）が全ｍＡ（例えば７００ｍＡ）において行なわれ、低減ｍＡ区画７２（例えば１００ｍＡ）が１回転ずらして（半走査の前又は後に）得られる。かかる具現化形態の時間の一例では、回転時間は約０．２８秒（例えば約４分の１秒）であり得る。２回の回転からのビューは、再構成のために単一のデータ集合に結合される。一実施形態では、２回転アプローチは、上述の対称ｍＡ変調アプローチよりも多くの線量を減少させることができる（標準的な全走査に対して）。２回転の具現化形態では、低ｍＡでの２回目の回転を用いて、データが相対的に完全である領域の外部の画像容積の部分での画質を高めると共に、データが相対的に完全であるような画像容積の部分の内部（すなわち常にＸ線ビームに曝射されている領域）でのコーン・ビーム・アーティファクトのような幾つかの低周波数シェーディング・アーティファクトを減少させることができる。
【００３２】
一具現化形態では、急激な移行を回避するために、異なる回転において取得される二つの区画は、何らかの程度のフェザリングと組み合わせ得るように幾分かの角度ビュー重なりを有し得る。例えば、低ｍＡビューが次第に平滑化されるようにサイノグラム領域平滑化を用いて、低ｍＡビューと高ｍＡビューとの間の不連続性を減少させる又は解消することができる。
【００３３】
全走査画像取得の横側領域６４においてＸ線量を減少させるもう一つの方法は、コーン角に基づいてＸ線を選択的にコリメートするものである。さらに明確に述べると、ビームの内部のＸ線は検出器領域の隅の領域には寄与しないので、これらの内部Ｘ線をコリメートし又は他の場合には遮断することができる。従って、隅の領域に寄与するコーンの外部に向かうＸ線は、コリメーションを通過して伝達されるとよい。例えば、アイソ・プレーン（iso-plane）に近い横列を遮断し、何らかのコーン角を上回るＸ線を通過させるコリメータを用いて、半走査ビュー範囲は内部コーン・コリメーションを行なわずに取得され、走査の残りは内部コーン・コリメーションを行なって収集されるような走査プロトコルを開発することができる。この場合にも、この態様で、全走査時間の走査を行なうが、半走査ビュー範囲の外部のＸ線のコーンの内部のコリメーションのため患者への実効線量を減少させることができる。
【００３４】
本発明の技術的効果としては、全走査範囲（すなわち回転）にわたりＣＴ画像データの取得が行なわれるが、一定のＸ線管電流によって具現化される全走査に対して低減された線量で行なわれることが挙げられる。他の技術的効果としては、半走査窓の外部でＸ線管電流の変調を行なう全走査ＣＴ取得プロトコルの具現化形態が挙げられる。さらに他の技術的効果としては、半走査窓の外部で散在型ビューの取得を行なう全走査ＣＴ取得プロトコルの具現化形態が挙げられる。さらに他の技術的効果としては、２回転プロトコルの各々の回転が異なるＸ線管電流を用いるようにして単一の全走査回転に対応する画像データを取得する２回転ＣＴ取得プロトコルの具現化形態が挙げられる。他の技術的効果としては、半走査窓の外部で差分ｚ−コリメーションを行なう全走査ＣＴ取得プロトコルの具現化形態が挙げられる。
【００３５】
この書面の記載は、最適な態様を含めて発明を開示し、また任意の装置又はシステムを製造して利用すること及び任意の組み込まれた方法を実行することを含めてあらゆる当業者が発明を実施することを可能にするように実例を用いている。特許付与可能な発明の範囲は特許請求の範囲によって画定されており、当業者に想到される他の実例を含み得る。かかる他の実例は、特許請求の範囲の書字言語に相違しない構造要素を有する場合、又は特許請求の範囲の書字言語と非実質的な相違を有する等価な構造要素を含む場合には、特許請求の範囲内にあるものとする。
【符号の説明】
【００３６】
１０：計算機式断層写真法（ＣＴ）イメージング・システム
１２：Ｘ線放射線源
１４：コリメータ
１６：Ｘ線
１８：患者
２０：Ｘ線放射線の一部
２２：検出器
２４：システム制御器
２６：Ｘ線制御器
２８：データ取得システム
３０：処理構成要素
３２：回転サブシステム
３４：線形配置サブシステム
３６：モータ制御器
３８：メモリ
４０：操作者ワークステーション
４２：表示器
４４：プリンタ
４６：ＰＡＣＳ
４８：遠隔クライアント
６０：全走査についての積算Ｘ線管電流
６２：半走査についての積算Ｘ線管電流
６４：横側領域
６６：半走査に対応するデータ
７０：全ｍＡ半走査区間
７２：低ｍＡ区画
８０：台形面積（ｍＡ変調シナリオ）
【図１】
0006276350.tif 000002
【図２】
0006276350.tif 000003
【図３】
0006276350.tif 000004
【図４】
0006276350.tif 000005
【図５】
0006276350.tif 000006
【図６】
0006276350.tif 000007
【図７】
0006276350.tif 000008
【図８】
0006276350.tif 000009